(57)【要約】      （修正有）【課題】車両の状態に拘わらず速やかな加速を実現する車両用エアコンディショナの制御装置を提供する。【解決手段】このＥＣＵは、車両の状態により内燃機関のクランクシャフトと当該クランクシャフトから回転駆動力の伝達を受けるエアコンディショナ用のコンプレッサとのマグネットクラッチによる接続をＯＦＦとすることにより、コンプレッサの駆動容量をカットすべく所謂エアコンカットを行うものである。その上でＥＣＵは、アクセル開度及び車速から加速を検知した際に、算出されたコンプレッサの負荷が大きいときは、コンプレッサの負荷が小さいときよりも、マグネットクラッチによる接続をＯＦＦとするタイミングを早くするようにしている。【選択図】図４
2014028549.tif 000002
【特許請求の範囲】
【請求項１】
アクセル開度及び車速から加速を検知した際に、車両の状態により内燃機関のクランクシャフトから回転駆動力の伝達を受けるエアコンディショナ用のコンプレッサが駆動する容量をカットする車両用エアコンディショナの制御装置であって、
前記コンプレッサの負荷を推定又は算出し、コンプレッサの負荷が大きいときは、コンプレッサの負荷が小さいときよりも、加速を検知した際のコンプレッサが駆動する容量をカットするタイミングを早くする車両用エアコンディショナの制御装置。
【発明の詳細な説明】
【技術分野】
【０００１】
本発明は、内燃機関のクランクシャフトから回転駆動力の伝達を受けるコンプレッサを有する車両用エアコンディショナを制御するための制御装置に関するものである。
【背景技術】
【０００２】
従来、アクセル開度及び車速から加速を検知した際に、エアコンディショナに対する負荷が大きい高温時をはじめとする車両の状態によってはエアコンディショナ用のコンプレッサの容量をカットすることによりエンジンたる内燃機関に掛かる負荷を軽減し速やかな加速を優先し且つ実現しようとする車両用エアコンディショナの制御装置が知られている（例えば、特許文献１参照）。当該特許文献１に記載のものは、エバポレータの温度上昇勾配が所定値以上となった場合に、初回の加速時にエアコンディショナ用のコンプレッサを停止するというものである。
【０００３】
しかしながら当該特許文献１に記載のものでは、エバポレータの温度上昇をコンプレッサの停止を決定する要因としているが、エバポレータの温度上昇はエアコンディショナが内燃機関に与える負荷を精確に反映しているものでは無いため、コンプレッサの停止が必ずしも速やかな加速に寄与していない場合もあると考えられる。
【先行技術文献】
【特許文献】
【０００４】
【特許文献１】特開平４−５５１１９号公報
【発明の概要】
【発明が解決しようとする課題】
【０００５】
本発明は、このような不具合に着目したものであり、車両の状態に拘わらず速やかな加速を実現する車両用エアコンディショナの制御装置を提供することを目的としている。
【課題を解決するための手段】
【０００６】
本発明は、このような目的を達成するために、次のような手段を講じたものである。
【０００７】
すなわち本発明に係る車両用エアコンディショナの制御装置は、アクセル開度及び車速から加速を検知した際に、車両の状態により内燃機関のクランクシャフトから回転駆動力の伝達を受けるエアコンディショナ用のコンプレッサが駆動する容量をカットする車両用エアコンディショナの制御装置であって、前記コンプレッサの負荷を推定又は算出し、コンプレッサの負荷が大きいときは、コンプレッサの負荷が小さいときよりも、加速を検知した際のコンプレッサが駆動する容量をカットするタイミングを早くすることを特徴とする。
【０００８】
ここで、「車両の状態」とは、単に内燃機関の状態や運転状態のみならず、外気温や車室の温度、さらにはドライバによるエアコンディショナや補機の設定等を含む概念である。
【０００９】
また、前記コンプレッサの負荷を「推定又は算出」するとは、種々のパラメータからコンプレッサの負荷の実測値を精密に算出するような態様に限られるものではない。すなわち各種パラメータを勘案しつつ、予め記録されたマップから推定値を読み出す態様や、計算により実測値に相関する、コンプレッサの負荷をカットするために指標となる値を算出したり推定したりしたものであってもよい。
【００１０】
このようなものであれば、内燃機関への直接の負荷であるコンプレッサの負荷を基に内燃機関の負荷を減じることにより、より精確に加速要求に応えることができる。また負荷が大きいときはコンプレッサの容量をより早いタイミングでカットするため、加速要求への反応をより早くすることができ、ドライバへ違和感を与えてしまうことを有効に回避することができる。
【００１１】
また「コンプレッサが駆動する容量をカットする」とは、単にコンプレッサの駆動を停止する態様のみならず、可変容量コンプレッサを用い、当該コンプレッサが駆動する容量を段階的に減じたり、連続的に減じたりすると行った態様をも含まれる。
【００１２】
さらに「タイミングを早くする」とは、コンプレッサの負荷が所定値を超えればさらに早い所定の別のタイミングとする態様のみならず、負荷の増大に応じて段階的或いは連続的にタイミングを早めていくという態様も含まれる概念である。また当該概念は、コンプレッサの負荷が小さいときには前記タイミングを遅らせる態様を排除するものではないことはいうまでもない。
【発明の効果】
【００１３】
本発明によれば、車両の状態に拘わらず速やかな加速を実現する車両用エアコンディショナの制御装置を提供することができる。
【図面の簡単な説明】
【００１４】
【図１】本発明の一実施形態に係る車両用内燃機関の全体構成を示す図。
【図２】同実施形態に係る制御装置を示す回路図。
【図３】同実施形態に係る他の回路図。
【図４】同実施形態に係るタイミングチャート。
【発明を実施するための形態】
【００１５】
以下、本発明の一実施の形態について図面を参照して説明する。
【００１６】
本発明の一実施形態を、図面を参照して説明する。図１に、本実施形態における車両用内燃機関の概要を示す。
【００１７】
本実施形態における内燃機関は、火花点火式ガソリンエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００１８】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１９】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００２０】
図２に、本実施形態における発電システムの等価回路を示す。オルタネータ１１０は、ベルト及びプーリを要素とする巻掛伝動機構等を介して内燃機関のクランクシャフトに接続しており、クランクシャフトの回転に従動して回転し発電する。オルタネータ１１０は、ステータに巻回されたステータコイル１１１と、ステータの内側に配置され回転するロータに巻回されたフィールドコイル１１２とを有する。ステータコイル１１１は三相コイルであり、三相交流の誘起電流を発電する。この誘起電流は、レクティファイヤ（整流器）１１３によって直流電流とした上でバッテリ１２０に蓄電する。
【００２１】
オルタネータ１１０が発電し出力する電圧の大きさは、レギュレータ１３０を介して制御される。レギュレータ１３０は、オルタネータ１１０に付帯するＩＣ式の既知のものであり、オルタネータ１１０の出力電圧を少なくとも二段階に切り替えることが可能である。
【００２２】
オルタネータ１１０は上記の通り、内燃機関のクランクシャフトから回転駆動力の供給を受けて回転し発電する。そのため、内燃機関から見ればオルタネータ１１０は機械負荷となる。その機械負荷は、オルタネータ１１０による発電量が大きいほど大きくなる。
【００２３】
内燃機関の運転及び補機の制御を司るＥＣＵ０は、プロセッサ、メモリ、入力インタフェース、出力インタフェース等を有したマイクロコンピュータシステムである。
【００２４】
入力インタフェースには、車両の実車速を検出する車速センサから出力される車速信号ａ、クランクシャフトの回転角度及びエンジン回転数を検出するエンジン回転センサから出力される回転数信号ｂ、アクセルペダルの踏込量またはスロットルバルブ３２の開度をアクセル開度（いわば、要求負荷）として検出するセンサから出力されるアクセル開度信号ｃ、外気温を検出するための図示しない外気温センサから出力される外気温信号ｄ、吸気通路３（特に、サージタンク３３）内の吸気温及び吸気圧を検出する温度・圧力センサから出力される吸気温・吸気圧信号ｅ、機関の冷却水温を検出する水温センサから出力される冷却水温信号ｆ、エアコンディショナの冷媒ガスの圧力の実測値を検出するための冷媒圧センサから出力される冷媒圧信号ｇ、ドライバが居る車室内の温度を検出するための車室温センサから出力される車室温信号ｈ、バッテリ１２０の充電状態（バッテリ電圧、バッテリ電流、バッテリ温度）を検出するセンサから出力されるバッテリ信号ｎ、オルタネータ１１０の出力電圧を検出するセンサから出力される出力電圧信号ｐ、並びに、照明灯、エアコンディショナ、ヒータ、デフォッガ、オーディオ機器、カーナビゲーションシステム等を稼働させることを要望するユーザの手によって操作される操作入力デバイス（操作スイッチ、ボタン、タッチパネル等）から与えられる信号ｏ等が入力される。
【００２５】
出力インタフェースからは、点火プラグ１２のイグナイタに対して点火信号ｉ、インジェクタ１１に対して燃料噴射信号ｊ、スロットルバルブ３２に対して開度操作信号ｋ、レギュレータ１３０に対して出力電圧指令信号ｌ、並びに、照明灯、エアコンディショナ、ヒータ、オーディオ機器、カーナビゲーションシステム等を稼働させるための制御信号等を出力する。制御信号には、内燃機関のクランクシャフトから冷媒圧縮用のコンプレッサへの回転駆動力の伝達を媒介するマグネットクラッチ５を断接切換するためのクラッチ接続信号ｍ１や、ラジエタを冷却するためのファンモータ６を駆動するファン駆動信号ｍ２の他、照明灯、ファンモータ６、ヒータ、デフォッガ、オーディオ機器、カーナビゲーションシステム等の各々への通電をＯＮ／ＯＦＦするための信号が含まれる。
【００２６】
本実施形態ではエアコンディショナを冷房のために稼働させる際に冷媒圧縮用のコンプレッサを冷却するためのファンを、ラジエタを冷却するためのラジエタファンと共用してなる。すなわちエアコンディショナによって冷房を行なう際、上記制御信号のうちクラッチ接続信号ｍ１とファン駆動信号ｍ２とがＥＣＵ０より出力される。
【００２７】
具体的には図３に示すように、内燃機関のクランクシャフトとエアコンディショナのコンプレッサとの間を断接切換するグネットクラッチ５に対してクラッチ接続信号ｍ１が出力されると、クラッチ接続信号ｍ１は、マグネットクラッチ５に通電する電気回路を短絡／遮断するリレースイッチ５１に入力され、このスイッチを短絡側に駆動する。同じくファン駆動信号ｍ２が出力されると、ファンモータ６に通電する電気回路を短絡／遮断するリレースイッチに入力され、このスイッチを短絡側に駆動する。
【００２８】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈ、ｎ、ｏ、ｐを入力インタフェースを介して取得し、エンジン回転数を知得するとともに気筒１に充填される吸気量を推算する。また、バッテリ１２０の充電状態や、エアコンディショナ、照明灯その他の電気負荷の稼働状況を知得するとともに、オルタネータ１１０において供給するべき発電量を推算する。そして、要求される燃料噴射量、燃料噴射タイミング（一度の燃焼に対する燃料噴射の回数を含む）、燃料噴射圧、点火タイミング、オルタネータ１１０の出力電圧といった運転パラメータを決定する。運転パラメータの決定手法自体は、既知のものを採用することが可能である。ＥＣＵ０は、運転パラメータ及びユーザの操作に対応した各種制御信号ｉ、ｊ、ｋ、ｌ、ｍ１、ｍ２を出力インタフェースを介して印加する。
【００２９】
このＥＣＵ０は、車両の状態により内燃機関のクランクシャフトと当該クランクシャフトから回転駆動力の伝達を受けるエアコンディショナ用のコンプレッサとのマグネットクラッチ５による接続をＯＦＦとすることにより、コンプレッサの駆動容量をカットすべく所謂エアコンカットを行うものである。
【００３０】
上記エアコンカットを行う条件とは、以下のような条件が挙げられる。例えば、冷却水温が設定値以上となったときに行われる他、吸気管圧力が回転数による設定値を超えるか或いはスロットルバルブ開度車速による設定値を超えたとき、さらには、回転数の降下が設定値より大きいとき等に行われる。
【００３１】
しかして本実施形態では、上記の他に、ＥＣＵ０は、アクセル開度信号ｃから得られるアクセル開度及び車速信号ａから得られる車速から加速を検知した際に、コンプレッサの負荷Ｌが大きいときは、コンプレッサの負荷Ｌが小さいときよりも、マグネットクラッチ５による接続をＯＦＦとするタイミングを早くするようにしている。
【００３２】
本実施形態ではコンプレッサの負荷Ｌを以下のようにして算出している。コンプレッサの負荷Ｌは、コンプレッサ回転数Ｎc、設定冷媒ガス圧Ｐd、冷媒の比体積ｖ、冷媒ガス圧の実測値Ｐs、コンプレッサ出入り口のエンタルピー差Δｉ、コンプレッサ容量Ｖcに加え、コンプレッサの体積効率ηc、同機械効率ηm及び同圧縮効率ηcを基に、以下の式を用いて算出するようにしている。なおＡ1は定数である。またコンプレッサはクランクシャフトに接続されていることから、コンプレッサ回転数Ｎcは上記回転数信号ｂ、すなわち内燃機関の回転数を基に求めることができる。加えて冷媒の比体積ｖ、コンプレッサ出入り口のエンタルピー差Δｉは、設定冷媒ガス圧Ｐd、冷媒ガス圧の実測値Ｐsより推定するか或いは近似値を求めることができる。
【００３３】
【数１】
2014028549.tif 000003
上記式を用いることによって、他のセンサ等の格別な設備を負荷することなく、コンプレッサの負荷Ｌを算出することができる。
【００３４】
図４は、ドライバによる加速要求がなされた際の、アクセル開度（Ａｐ）、マグネットクラッチ５の断続状況（Ｍｇｃ）、内燃機関の駆動力（Ｆ）、上記の通り算出されたコンプレッサの負荷Ｌ及び車速（Ｖ）を示すタイミングチャートである。図示左側は例えば外気温が低くコンプレッサの負荷Ｌ（Ａ／Ｃ負荷）が低い場合の態様、図示右側は例えば外気温が高くコンプレッサの負荷Ｌが高い場合の態様を図示している。
【００３５】
しかして本実施形態では図４に示すように、コンプレッサをＯＦＦとするタイミングを、コンプレッサ負荷とアクセル開度で決定するようにしている。コンプレッサ負荷が所定範囲内にあるときはアクセル開度が基準開度ｘとなる基準タイミングｓｔｄでマグネットクラッチ５を操作することによりコンプレッサをＯＦＦとする制御を行っている。
【００３６】
ここで本実施形態では、コンプレッサの負荷Ｌが所定範囲を超えて大きいときには、アクセル開度がｘとなるタイミングｓｔｄよりも早いタイミングｔ１にてコンプレッサをＯＦＦとするようにしている。換言すればアクセル開度が基準開度ｘよりも低い開度となったときにコンプレッサをＯＦＦとするようにしている。
【００３７】
一方、コンプレッサの負荷Ｌが所定範囲を下回った場合にはタイミングｓｔｄよりも遅いタイミングｔ２にてコンプレッサをＯＦＦとするようにしている。換言すればアクセル開度が基準開度ｘよりも高い開度となったときにコンプレッサをＯＦＦとするようにしている。
【００３８】
以上のようにすることで、内燃機関への直接の負荷であるコンプレッサの負荷Ｌを基に内燃機関の負荷を減じることにより、より精確に加速要求が車速に反映し得るものとなっている。またコンプレッサの負荷Ｌが所定の範囲よりも大きいときはコンプレッサの容量をより早いタイミングでカットするため、外気温が高い場合をはじめとする斯かる場合の加速要求への反応すなわち駆動力、車速への反映がより早くなり、ドライバへ違和感を与えてしまうことを有効に回避している。
【００３９】
特に本実施形態ではさらに、コンプレッサの負荷Ｌが所定範囲を下回ったときには遅いタイミングｔ２にてコンプレッサをＯＦＦとすることにより、ドライバの加速要求に支障を来たさないときにはドライバビリィティを担保しつつ、車室の快適さの維持にも資するものとなっている。
【００４０】
以上、本発明の実施形態について説明したが、各部の具体的な構成は、上述した実施形態のみに限定されるものではなく、本発明の趣旨を逸脱しない範囲で種々変形が可能である。
【００４１】
まず、本実施形態の変形例としては、以下の態様を挙げることができる。すなわち、上記実施形態では外気温及びアクセル開度を基準にコンプレッサが駆動する容量をカットするタイミングを制御していたが例えば、加速要求があったときの車速をも勘案して前記タイミングを制御してもよい。具体的には、加速要求があったときの車速が低い程、コンプレッサが駆動する容量をカットするタイミングをより早く設定するものであってもよい。このようなものであれば、登坂時の低速からの加速要求や市街走行時での交差点の右折時といった、ドライバにとって加速要求が切に求められる機会においてより速やかに車速に反映させることで、ドライバにさらなる快適さを提供することができる。
【００４２】
また他に挙げられる変形例としては、上記実施形態では内燃機関の負荷としてコンプレッサの負荷のみを算出していたが勿論、コンプレッサの負荷と併せてオルタネータの負荷を勘案し、コンプレッサが駆動する容量をカットするタイミングを設定してもよい。具体的には、コンプレッサの負荷が所定値以上であった場合には、コンプレッサの負荷が所定値を上回っていなくても当該コンプレッサが駆動する容量をカットするタイミングを早く設定する態様を挙げることができる。このようなものであれば、より実際の内燃機関の負荷が反映されることとなる。また勿論、コンプレッサが駆動する容量をカットするのに併せて、オルタネータの負荷をカットする他の制御を行うようにしても良い。
【００４３】
さらに他には、加速要求時の吸気温や点火時期をも勘案してコンプレッサが駆動する容量をカットするタイミングを設定しても良い。具体的には、吸気温が所定の温度よりも高い場合やノックコントロールシステムの稼働により既に点火時期が遅角側に補正されている場合には、コンプレッサが駆動する容量をカットするタイミングをより早く設定することで、ノッキングを有効に回避した速やかな加速を実現するものとしても良い。
【００４４】
このように、本発明の実施形態及び変形例について説明したが、各部の具体的な構成は、上述した実施形態のみに限定されるものではなく、本発明の趣旨を逸脱しない範囲で種々変形が可能である。
【００４５】
例えば、上記実施形態ではアクセル開度を基にコンプレッサが駆動する容量をカットするする態様を開示したが勿論、単純なアクセル開度のみならずアクセルの開き速度を基にコンプレッサが駆動する容量をカットするする態様としてもよく、さらにはアクセルペダルの踏込みによるスロットルバルブの開き速度や吸気圧又は吸気量を基にコンプレッサが駆動する容量をカットするものであってもよい。またコンプレッサが駆動する容量をカットする具体的なアクセル開度や外気温、車室の温度の具体的な数値等の態様は上記実施形態のものに限定されることはなく、既存のものを含め、種々の態様のものを適用することができる。
【００４６】
その他、各部の具体的構成についても上記実施形態に限られるものではなく、本発明の趣旨を逸脱しない範囲で種々変形が可能である。
【産業上の利用可能性】
【００４７】
本発明は車両用エアコンディショナの制御装置として利用することができる。
【符号の説明】
【００４８】
０…車両用エアコンディショナの制御装置（ＥＣＵ）
Ｌ…コンプレッサの負荷
【図１】
2014028549.tif 000004
【図２】
2014028549.tif 000005
【図３】
2014028549.tif 000006
【図４】
2014028549.tif 000007